(57)【要約】本発明は、多機能スマートバックパックに関し、バックパックボディー部、前記バックパックボディー部の外面に設置されて外部に情報を表示する多数のＬＥＤ表示部、前記多数のＬＥＤ表示部を駆動してＬＥＤの点灯を制御する駆動制御部、前記駆動制御部と無線で通信して、前記駆動制御部の動作を制御する遠隔制御部、及び前記多数のＬＥＤ表示部及び駆動制御部に電源を供給する電源供給部を含んでなる。前記駆動制御部は、前記遠隔制御部の命令に従って前記多数のＬＥＤ表示部に視覚情報が独立して表示されるように制御することができる。
2019506188.tif 000002
【特許請求の範囲】
【請求項１】
バックパックボディー部と、
前記バックパックボディー部の外面に設置されて外部に情報を表示する多数のＬＥＤ表示部と、
前記多数のＬＥＤ表示部を駆動してＬＥＤの点灯を制御する駆動制御部と、
前記駆動制御部と無線で通信して、前記駆動制御部の動作を制御する遠隔制御部と、
前記多数のＬＥＤ表示部及び前記駆動制御部に電源を供給し、着脱可能に形成された電源供給部とを含み、
前記駆動制御部は、マイクロコントローラ、メモリ、及び無線通信回路を含み、前記遠隔制御部の命令に従って前記多数のＬＥＤ表示部に視覚情報が独立して表示されるように制御し、
前記多数のＬＥＤ表示部は、多数の独立したＬＥＤパネルまたはＬＥＤモジュールからなっており、
前記駆動制御部は、前記多数のＬＥＤ表示部に互いに異なる視覚情報をリアルタイムで又は指定された時間にそれぞれ表示し、
前記遠隔制御部は、スマートフォン、及びこれに内蔵された専用制御プログラムからなり、
前記多数のＬＥＤ表示部の１つは、前記スマートフォンの動作状態を表示し、
前記スマートフォンと前記駆動制御部は周期的に通信信号を送受信し、前記通信信号の送受信が中断された場合に、前記スマートフォンは、アラーム機能を用いてユーザに通信信号の中断状態を警報し、
前記スマートフォンは多数の交通標識を画面に表示し、ユーザがそのうちの１つをタッチ入力又は音声入力で選択すると、前記駆動制御部は、前記ＬＥＤ表示部の１つに当該交通標識をリアルタイムで表示し、
前記遠隔制御部は、スマートフォンに内蔵された衛星航法装置の信号から走行速度及び走行方向を含む１つ以上の走行情報を計算して前記駆動制御部に送出することによって、前記多数のＬＥＤ表示部の１つ以上に前記走行情報が表示されるようにすることを特徴とする、多機能スマートバックパック。
【請求項２】
前記バックパックボディー部の内面に設置され、バックパックの内側の照度を測定する内部光センサ部と、
前記バックパックボディー部の内面に設置され、前記内部光センサ部が測定した照度値に応じて前記バックパックの内側に照明を照らすＬＥＤ照明部とをさらに含むことを特徴とする、請求項１に記載の多機能スマートバックパック。
【請求項３】
前記バックパックボディー部の外面に設置され、バックパックの外側の周辺の照度を測定する外部光センサ部をさらに含み、
前記駆動制御部は、前記外部光センサ部が測定した周辺の照度値を受信して、前記多数のＬＥＤ表示部のＬＥＤの照度を自動で調整することを特徴とする、請求項１に記載の多機能スマートバックパック。
【請求項４】
前記バックパックボディー部の外面に設置され、前記多数のＬＥＤ表示部をそれぞれオン・オフさせるスイッチ部をさらに含むことを特徴とする、請求項１に記載の多機能スマートバックパック。
【請求項５】
前記電源供給部は、前記駆動制御部を介してブルートゥース受信チャネルに接続された前記スマートフォンの要求に応じて音声支援が可能であり、電圧出力部から電源の供給を受け、前記駆動制御部を介してブルートゥース受信チャネルで音声情報を受信して音声を出力するスピーカーをさらに含み、
前記音声情報は、音楽、電話、及びＳＯＳ危急管理状況に関連する情報を含み、
前記スマートフォンの制御プログラム及び前記電源供給部の外部ボタンでＳＯＳ危急状況に関連する情報を出力できるように構成されたことを特徴とする、請求項１に記載の多機能スマートバックパック。
【請求項６】
前記遠隔制御部の代わりに又は前記遠隔制御部と共に、前記駆動制御部を介して前記多数のＬＥＤ制御部を制御できる照明制御部をさらに含み、
前記駆動制御部は、前記照明制御部の制御信号によって前記多数のＬＥＤ表示部に互いに異なる視覚情報を表示することを特徴とする、請求項１に記載の多機能スマートバックパック。
【請求項７】
前記照明制御部は、
両手に手袋を着用する形態で形成され、
人差し指乃至小指の２番目の関節に対応する部位に圧力センサが備えられ、前記圧力センサに一定の圧力が感知されると、停止表示制御信号を前記無線通信モジュールに伝送する圧力認識部と、
親指と人差し指との間に対応する部位にスイッチが含まれ、左手に該当するスイッチが押されると、左折表示制御信号を、右手に該当するスイッチが押されると、右折表示制御信号を前記無線通信モジュールに伝送するスイッチ部と、
手又は指に対応する部位に３軸加速度センサ、３軸ジャイロセンサ、及び３軸地磁気センサが含まれたＩＭＵ（Ｉｎｅｒｔｉａｌ  Ｍｅａｓｕｒｅｍｅｎｔ  Ｕｎｉｔ、慣性測定装置）センサモジュールが備えられた動き認識部と、
前記動き認識部から空間上での動きが感知されると、予め設定された敏感度情報又は予め設定された動作情報に基づいて有効動きを判断する動作認識部と、
前記動作認識部によって有効動きとして判断されると、有効動きに該当する命令があるかを確認し、有効動きに該当する命令がある場合、前記ＬＥＤ表示部に当該制御信号を伝送する命令処理部と
を含む、請求項６に記載の多機能スマートバックパック。
【発明の詳細な説明】
【技術分野】
【０００１】
本発明は、スマートバックパック（Ｓｍａｒｔ  Ｂａｃｋｐａｃｋ）に関し、より詳細には、ＬＥＤパネルを装着して様々な情報を表示することができ、スマートフォンと連動して使用に便利な様々な機能を備えた多機能スマートバックパックに関する。
【背景技術】
【０００２】
バックパックは、一般に、背中に担ぐ旅行用又はハイキング用カバン（リュックサック）を指すもので、最近になって、夜間識別や広告効果のために発光機能を付けたバックパックの使用が増えている。初期には、発光バンドのように単なる光反射体を適用したものが多かったが、最近は、ＬＥＤのような発光体を使用したバックパックが多く開発されている。
【０００３】
特に、自転車、登山などのアウトドアレジャースポーツ活動を楽しむユーザの増加により、レジャースポーツユーザの歩行時や自転車の走行時、その他に電動スクーターなどの運行時に、昼夜間の事故の防止のためにバックパックに高輝度ＬＥＤを装着する場合が増えている。
【０００４】
従来のバックパックの一例として、韓国登録特許第１０−０８１９１７４号によれば、透光窓が備えられたカバンの前面に面発光体を収納し、前記面発光体に電源を供給する充電池パックを別途の収納部に備えて、面発光体の内部の前段に備えられた広告シートに含まれた様々な文字あるいは図案などが、夜間に光源からの高輝度照明と共にカバンの外部に放射されるようにした、面発光体を備えたカバンについて提案している。
【０００５】
他の従来のバックパックの一例として、韓国登録特許第１０−１６１７１５７号によれば、夜間事故などを防止するために高輝度のＬＥＤを装着し、アプリケーション又はＲＦリモコンを用いてＬＥＤの出力を制御してコミュニケーションが可能なＬＥＤ安全バックパックについて提案している。
【０００６】
しかし、前記従来のバックパックは、ＬＥＤを用いて単に交通情報などを表示したり、無線通信を介してＬＥＤ点灯を制御したりするだけで、ユーザの目的に合わせてＬＥＤ表示を多様に調整したり、紛失に備えたり、利便性を向上させたりすることができる機能を十分に備えていない。
【０００７】
したがって、従来のバックパックの表示機能をさらに改善し、ユーザの利便性を増大させることができる新たなバックパックを開発する必要がある。
【発明の概要】
【発明が解決しようとする課題】
【０００８】
本発明は、上記の従来の発光機能を備えたバックパックの機能を改善するためのもので、本発明の目的は、ユーザの個性や目的に合わせて様々な視覚情報を表示することができ、ユーザがバックパックを便利に使用することができるスマートな機能が装着された多機能スマートバックパックを提供することにある。
【課題を解決するための手段】
【０００９】
上記技術的課題を解決するために、本発明に係る多機能スマートバックパックは、バックパックボディー部；前記バックパックボディー部の外面に設置されて外部に情報を表示する多数のＬＥＤ表示部；前記多数のＬＥＤ表示部を駆動してＬＥＤの点灯を制御する駆動制御部；前記駆動制御部と無線で通信して、前記駆動制御部の動作を制御する遠隔制御部：及び前記多数のＬＥＤ表示部及び前記駆動制御部に電源を供給し、着脱可能に形成された電源供給部；を含み、前記駆動制御部は、マイクロコントローラ、メモリ、及び無線通信回路を含み、前記遠隔制御部の命令に従って前記多数のＬＥＤ表示部に視覚情報が独立して表示されるように制御し、前記多数のＬＥＤ表示部は、多数の独立したＬＥＤパネルまたはＬＥＤモジュールからなっており、前記駆動制御部は、前記多数のＬＥＤ表示部に互いに異なる視覚情報をリアルタイムで又は指定された時間にそれぞれ表示し、前記遠隔制御部は、スマートフォン、及びこれに内蔵された専用制御プログラムからなり、前記多数のＬＥＤ表示部の１つは、前記スマートフォンの動作状態を表示し、前記スマートフォンと前記駆動制御部は周期的に通信信号を送受信し、前記通信信号の送受信が中断された場合に、前記スマートフォンは、アラーム機能を用いてユーザに通信信号の中断状態を警報し、前記スマートフォンは多数の交通標識を画面に表示し、ユーザがそのうちの１つをタッチ入力又は音声入力で選択すると、前記駆動制御部は、前記ＬＥＤ表示部の１つに当該交通標識をリアルタイムで表示し、前記遠隔制御部は、スマートフォンに内蔵された衛星航法装置の信号から走行速度及び走行方向を含む１つ以上の走行情報を計算して前記駆動制御部に送出することによって、前記多数のＬＥＤ表示部の１つ以上に前記走行情報が表示されるようにすることができる。
【００１０】
さらに、前記バックパックボディー部の内面に設置され、バックパックの内側の照度を測定する内部光センサ部；及び前記バックパックボディー部の内面に設置され、前記内部光センサ部が測定した照度値に応じて前記バックパックの内側に照明を照らすＬＥＤ照明部をさらに含むことができる。
【００１１】
また、前記バックパックボディー部の外面に設置され、バックパックの外側の周辺の照度を測定する外部光センサ部をさらに含み、前記駆動制御部は、前記外部光センサ部が測定した周辺の照度値を受信して、前記多数のＬＥＤ表示部のＬＥＤの照度を自動で調整するようにすることができる。
【００１２】
また、前記バックパックボディー部の外面に設置され、前記多数のＬＥＤ表示部をそれぞれオン・オフさせるスイッチ部をさらに含むことができる。
【００１３】
一方、前記電源供給部は、前記駆動制御部を介してブルートゥース受信チャネルで接続された前記スマートフォンの要求に応じて音声支援が可能であり、電圧出力部から電源の供給を受け、前記駆動制御部を介してブルートゥース受信チャネルで音声情報を受信して音声を出力するスピーカーをさらに含み、前記音声情報は、音楽、電話、及びＳＯＳ危急管理状況に関連する情報を含み、前記スマートフォンの制御プログラム及び前記電源供給部の外部ボタンでＳＯＳ危急状況に関連する情報を出力できるように構成されてもよい。
【００１４】
一方、前記遠隔制御部の代わりに又は前記遠隔制御部と共に、前記駆動制御部を介して前記多数のＬＥＤ制御部を制御できる照明制御部をさらに含み、前記駆動制御部は、前記照明制御部の制御信号によって前記多数のＬＥＤ表示部に互いに異なる視覚情報を表示するようにすることができる。
【００１５】
このとき、前記照明制御部は、両手に手袋を着用する形態で形成され、人差し指乃至小指の２番目の関節に対応する部位に圧力センサが備えられ、前記圧力センサに一定の圧力が感知されると、停止表示制御信号を前記無線通信モジュールに伝送する圧力認識部；親指と人差し指との間に対応する部位にスイッチが含まれ、左手に該当するスイッチが押されると、左折表示制御信号を、右手に該当するスイッチが押されると、右折表示制御信号を前記無線通信モジュールに伝送するスイッチ部；手又は指に対応する部位に３軸加速度センサ、３軸ジャイロセンサ、及び３軸地磁気センサが含まれたＩＭＵ（Ｉｎｅｒｔｉａｌ  Ｍｅａｓｕｒｅｍｅｎｔ  Ｕｎｉｔ、慣性測定装置）センサモジュールが備えられた動き認識部；前記動き認識部から空間上での動きが感知されると、予め設定された敏感度情報又は予め設定された動作情報に基づいて有効動きを判断する動作認識部；及び前記動作認識部によって有効動きとして判断されると、有効動きに該当する命令があるかを確認し、有効動きに該当する命令がある場合、前記ＬＥＤ表示部に当該制御信号を伝送する命令処理部；を含むことができる。
【発明の効果】
【００１６】
本発明の多機能スマートバックパックによれば、次のような効果を期待することができる。
【００１７】
第一に、独立して動作する多数のＬＥＤ表示部で構成されることによって、ユーザの必要や個性による種々の視覚情報を様々な方式で外部に表示することができる。
【００１８】
第二に、スマートフォン及びこれに内蔵された専用制御プログラム（Ａｐｐｌｉｃａｔｉｏｎ  Ｐｒｏｇｒａｍ）で動作を設定し、駆動させることができるので、バックパックの表示動作をユーザがリアルタイムで便利に調整することができる。
【００１９】
第三に、ＬＥＤ表示部にスマートフォンの動作状態を表示させることができるので、スマートフォンの機能をさらに効果的に利用することができる。
【００２０】
第四に、バックパックとスマートフォンとの距離が一定以上に離れた状況をユーザが直ちに認知できるので、バックパックの紛失を防止することができる。
【００２１】
第五に、光センサ及び照明灯が設置されることによって、暗い環境でもユーザがバックパックを容易に使用することができ、ＬＥＤの照度を自動で調整してバッテリーの消耗を低減することができる。
【図面の簡単な説明】
【００２２】
【図１】本発明の一実施例に係る多機能スマートバックパックの概略的なブロック図である。
【図２】本発明の実施例に係る多機能スマートバックパックの製品デザインの一例の概略図で
【図３】手袋を着用する形態で形成された照明制御部の手の平を示す例示図である。
【図４】手袋を着用する形態で形成された照明制御部の手の甲を示す例示図である。
【図５】照明制御部の細部ブロック図である。
【図６】図５の圧力認識部が作動することを示す例示図である。
【図７】図５の動き認識部が作動することを示す例示図である。
【図８】本発明の他の一実施例に係る多機能スマートバックパックの概略的なブロック構成を示す図である。
【図９】本発明の前記他の一実施例に係る多機能スマートバックパックにおいてＬＥＤ表示部が表示する視覚情報の一例を示す図である。
【図１０】本発明の前記他の一実施例に係る多機能スマートバックパックにおいてＬＥＤ表示部に交通標識が表示される一例を示す図である。
【発明を実施するための形態】
【００２３】
以下、添付の図面を参照して、本発明の好ましい実施例について説明する。
【００２４】
以下、実施例の説明では、互いに異なる実施例間に相互対応する又は類似の構成要素がある場合、同一又は類似の図面符号を付することができる。
【００２５】
図１は、本発明の一実施例に係る多機能スマートバックパックをブロック図で示したものであり、図２は、本発明の実施例に係る多機能スマートバックパックの製品デザインの一例を示した概略図である。
【００２６】
図１に示したように、本発明の一実施例に係る多機能スマートバックパックは、内部に収納空間が備えられたバックパックボディー部１００、ＬＥＤ表示部２００、電源供給部３００及び駆動制御部６００を含む。
【００２７】
ＬＥＤ表示部２００は、前記バックパックボディー部１００の外側に、例えば、前記バックパックボディー部１００の背当て部分の反対側に備えられ、後ろから来る人に特定の表示を伝達することができ、スマートフォンなどの外部機器１０と無線通信が可能であるため、外部機器１０から入力された信号に応じて様々な図形、文字などを含む記号やメッセージを表示することができる。
【００２８】
ＬＥＤ表示部２００に表示可能な記号やメッセージとしては、例えば、前進、左折、右折などの進行方向の表示、停止や非常などの進行状況の表示を挙げることができ、さらに、文字を含むメッセージの表示も可能である。
【００２９】
進行方向又は進行状況の表示としては、その他にも、減速、徐行、加速、路面注意（危険／注意）、隊列変更（一列に進行、二列に進行など）、密着して進行、追い越し許容、追い越し（前の人を追い越し、左から追い越し、右から追い越しなど）、散らばって次の目的地まで各自自由に進行などの表示が、予め定められた記号又は文字メッセージの形態で表示されてもよい。
【００３０】
その他に、文字形態で伝達できるメッセージとして、ヘルプ（Ｈｅｌｐ）、サンキュー（Ｔｈａｎｋｓ）、ソーリー（Ｓｏｒｒｙ）など、ライディング時に必要な意思表現を後ろからついてくる人々に伝達することもできる。
【００３１】
前記ＬＥＤ表示部２００に表示されるこのような意思表現の伝達は、前記ＬＥＤ表示部２００を制御する駆動制御部６００と通信可能なスマートフォンなどの外部機器１０に搭載された連動アプリケーションを用いることができる。また、前記ＬＥＤ表示部２００と外部機器１０との接続、すなわち、前記駆動制御部６００を経由した前記ＬＥＤ表示部２００と外部機器１０との接続は、通信距離が短い代わりに、電力消耗が少ないブルートゥースなどの通信方式を用いることができるが、これに限定されるものではなく、電力消耗が少ないと共に通信に支障がなければ、いかなる無線通信方式でも利用可能である。
【００３２】
一方、前記ＬＥＤ表示部２００は、前記駆動制御部６００を介して外部機器１０に前記ＬＥＤ表示部２００の状態を伝送して、バックパックに装着された高輝度のＬＥＤにどのような形状が表示されたか、外部機器に表示されるようにすることができる。
【００３３】
前記バックパックボディー部１００には、着脱可能に形成された電源供給部３００を収納することができ、前記電源供給部３００を用いてＬＥＤ表示部２００に電源を供給することができる。
【００３４】
図１に示された実施例において、前記電源供給部３００はバッテリー３１０及び電圧出力部３２０を含むことができる。バッテリー３１０は、一般的な二次電池を含め、繰り返し充電が可能な電池であってもよい。
【００３５】
電圧出力部３２０は、前記バッテリー３１０と接続され、例えば、ＵＳＢポートの形態で形成されてもよく、前記バッテリー３１０の電圧を５Ｖ  ＤＣに変換して出力することによって、５Ｖ  ＤＣ電源で作動する携帯用機器を接続して使用可能なように設定することができる。
【００３６】
駆動制御部６００は、通信モジュール、例えば、ブルートゥース通信モジュールを内蔵することができ、ブルートゥース受信チャネルを２つ以上登録及び管理し、ブルートゥース受信チャネルに接続された外部機器１０からの要求に応じてＬＥＤ表示部２００を制御することができる。
【００３７】
すなわち、スマートフォンなどの外部機器１０を多数登録しておき、登録されたスマートフォンなどを用いて、例えば、ＬＥＤ表示部２００のＯｎ／Ｏｆｆ及び光の強弱制御をスマートフォンにインストールされたアプリケーションを用いて行うことができる。
【００３８】
本発明の一実施例に係る多機能スマートバックパックの電源供給部３００は、バッテリー３１０の残量を表示する残量表示器３４０をさらに含むことができる。
【００３９】
バッテリー３１０を充電できる場所までにかかる時間、及びそこに到着するまで必要なバッテリーの残量を経験的に知っていれば、残量表示器３４０を見て電子機器の使用を調節することができ、これによって、野外活動中にバッテリーの消耗による電子機器利用中断の不便さを最小化することができる。
【００４０】
一方、本発明の一実施例に係る多機能スマートバックパックの電源供給部３００は、前記駆動制御部６００を介してブルートゥース受信チャネルに接続された外部機器１０の要求に応じて音声支援が可能なスピーカー３５０をさらに含むことができる。
【００４１】
一般的なスマート機器などに装着されたスピーカーは、野外活動中に音を聞くには出力が不足するため、電圧出力部３２０から電源の供給を受ける音声増幅が可能なスピーカー３５０をさらに備え、前記スピーカー３５０は、駆動制御部６００を介してブルートゥース受信チャネルで音声情報を受信することによって、音声を大きな音量で出力することができる。
【００４２】
このとき、出力される音声情報は、音楽、電話、ＳＯＳ危急管理状況に関連する情報などを含むことができ、スマートアプリケーション及び電源供給部３００の外部ボタン（図示せず）などでＳＯＳ危急状況に関連する情報などを出力するようにすることができる。
【００４３】
本発明の一実施例に係る多機能スマートバックパックの電源供給部３００は、残量表示器３４０とスピーカー３５０をいずれも含むように構成されてもよいことは勿論である。
【００４４】
以下、図３乃至図７を参照して、本発明に係る多機能スマートバックパックのＬＥＤ表示部を制御するための照明制御部の一実施例について詳細に説明する。
【００４５】
図３は、手袋を着用する形態で形成された照明制御部の手の平を示す例示図であり、図４は、手袋を着用する形態で形成された照明制御部の手の甲を示す例示図であり、図５は、照明制御部の細部ブロック図であり、図６は、図５の圧力認識部が作動することを示す例示図であり、図７は、図５の動き認識部が作動することを示す例示図である。
【００４６】
前述した本発明に係る多機能スマートバックパックの一実施例では、スマートフォンなどの外部機器１０を操作することによって、多機能スマートバックパックのＬＥＤ表示部２００に表示される図形や文字を選択するか、または表示するか否かを制御することができる。
【００４７】
両手が比較的自由な状況、例えば、登山中のときは、このように外部機器１０を操作してＬＥＤ表示部２００を制御することに特に困難や危険性がないと見られるが、自転車に乗って走行中の場合のように両手が自由でない状況でスマートフォンなどの外部機器１０を操作することは事故の危険があるため、推奨できない。したがって、このように両手の活用が自由でない状態で本発明に係る多機能スマートバックパックのＬＥＤ表示部２００を制御できる手段が必要である。
【００４８】
前記ＬＥＤ表示部２００に図形や文字などを表示することを指示する信号を無線で伝達できる照明制御部４００として、例えば、図３及び図４に示された手袋の形態の照明制御部が、スマート機器に代わる独立型（Ｓｔａｎｄ−ａｌｏｎｅ）制御部として、またはスマート機器と無線接続されて使用される従属型制御部として使用されてもよい。
【００４９】
図３及び図４に示したように、前記照明制御部４００は、両手に手袋を着用する形態で形成され、図５に示したように、圧力認識部４２０、スイッチ部４３０、動き認識部４４０、動作認識部４５０、及び命令処理部４６０を含むことができる。
【００５０】
図６に示したように、圧力認識部４２０は、人差し指乃至小指の２番目の関節に対応する部位に圧力センサ４２１が備えられ、前記圧力センサ４２１に一定の圧力が感知されると、停止表示制御信号を前記無線通信モジュール４９０に伝送する。
【００５１】
言い換えれば、ブレーキをかけるときにブレーキと接触する部位に圧力センサ４２１を付着し、圧力センサ４２１に予め決定された基準以上の圧力が感知されると、ブレーキをかけたものと判断することができ、ブレーキをかけたものと判断されると、停止に該当する表示が前記ＬＥＤ表示部２００に表示され得るように、停止表示制御信号を前記無線通信モジュール４９０に伝送するのである。
【００５２】
このとき、誤動作を防止するために、予め決定された基準以上の圧力が感知された圧力センサ４２１が２つ以上である場合にのみ停止表示制御信号を生成して前記無線通信モジュール４９０に伝送するように圧力処理部４２２をさらに含むことができる。必要に応じて、または選択によって、圧力処理部４２２は、予め決定された基準以上の圧力が感知された圧力センサ４２１が３つ以上である場合にのみ停止表示制御信号を伝送するように設定されてもよい。前記圧力処理部４２２は、前記圧力センサ４２１と前記無線通信モジュール４９０との間に備えられることが好ましい。
【００５３】
このように、停止表示（ブレーキ表示）が圧力センサの感知によって表示され得るように構成することによって、指で前記照明制御部４００の操作を行うのが困難な突然の突発状況が発生した場合にも、自然にブレーキをかけると同時に、前記ＬＥＤ表示部２００に停止表示が現れるため、安全の向上にさらに効果的である。
【００５４】
図３及び図４に示したように、親指と人差し指との間に対応する部位にスイッチ部４３０が位置し、左手に該当するスイッチ部４３０が押されると、左折表示制御信号を、右手に該当するスイッチ部４３０が押されると、右折表示制御信号を前記無線通信モジュール４９０に伝送する。
【００５５】
停止表示とは異なり、走行意図を知らせる左折表示又は右折表示は、走行中に自分がどの方向に方向転換を行うかを予め知らせなければならないため、自動よりは手動で行うことが好ましい。ただし、このとき、ハンドルから手を離すのは危険であるため、ハンドルを把持した状態で左折又は右折表示が可能であることが好ましく、そのために、親指と人差し指との間に対応する部位にスイッチ部４３０を備え、親指を人差し指側に密着させることによってスイッチ部４３０を押して、走行中に自分がどの方向に方向転換を行うかを予め知らせることができる。
【００５６】
図３及び図４に示したように、動き認識部４４０は、手又は指に対応する部位に、３軸加速度センサ、３軸ジャイロセンサ、及び３軸地磁気センサが含まれたＩＭＵ（Ｉｎｅｒｔｉａｌ  Ｍｅａｓｕｒｅｍｅｎｔ  Ｕｎｉｔ、慣性測定装置）センサモジュールを備える。
【００５７】
加速度センサは、ユーザの指の動きから発生した加速度を感知し、ジャイロセンサは、ユーザの指の動きにより発生したある軸を中心に回転した角速度を感知し、地磁気センサは、地球の磁場を測定する。
【００５８】
加速度データを積分して速度を得、再びこの値を積分して、センサが動いた距離情報を得ることができ、角速度データを積分して、センサの３軸に対する回転角情報を得ることができる。
【００５９】
ＩＭＵ（Ｉｎｅｒｔｉａｌ  Ｍｅａｓｕｒｅｍｅｎｔ  Ｕｎｉｔ、慣性測定装置）センサモジュールは、加速度、ジャイロ及び地磁気センサの値を用いて、センサが向かう方向を測定することができる。すなわち、方向情報を出力することができ、これは、ヨー、ロール、ピッチ（ｙａｗ、ｒｏｌｌ、ｐｉｔｃｈ）からなっている。ヨー（ｙａｗ）は、重力方向に平行な軸を基準として羅針盤が指す方向からセンサが回転した角度、ピッチ（ｐｉｔｃｈ）は、地面に平行な平面に対してセンサのｙ軸を基準として回転した角度、ロール（ｒｏｌｌ）は、地面に平行な平面に対してセンサのｘ軸を基準として回転した角度を意味する。
【００６０】
図７に示したように、動作認識部４５０は、前記動き認識部４４０から空間上での動きが感知されると、予め設定された敏感度情報又は予め設定された動作情報に基づいて有効動きを判断する。ここで、敏感度情報は、一定距離以上を一定速度以上で動いた情報のことをいい、予め設定された動作情報は、手の形状に該当する情報のことをいう。
【００６１】
すなわち、一般のライディング中に発生する動きは無視し、特定の動きが感知されるとこれを有効動きとして判断する。これは、ライディング中に不可避な動きがあるが、このような全ての動きに対して命令であるか否かを判断する場合、データ処理量が急激に増加してしまうという問題が発生するためである。
【００６２】
図７に示したように、命令処理部４６０は、前記動作認識部４４０によって有効動きとして判断されると、有効動きに該当する命令があるかを確認し、有効動きに該当する命令がある場合、前記ＬＥＤ表示部２００に当該制御信号を伝送する。
【００６３】
これは、手又は指の動きに基づいて、表現しようとする意思を他人に伝達するためのもので、ライディング中にやり取りする手信号を例に挙げることができる。ほとんどのライダーは、約束された手信号があり、これを用いて意思を伝達する。しかし、夜間にはこのような手信号を活用することが難しく、これを解決するために、前記のような照明制御部を含む本発明の一実施例に係る多機能スマートバックパックを用いて、夜間にも手信号を活用することができる。
【００６４】
以上のような手袋の形態の照明制御部４００を使用する場合、ＬＥＤ表示部２００は、独自で照明制御部４００の信号を解読し、その信号に対応する図形や文字を表示できるように構成し得る。このような照明制御部４００は、独立型（Ｓｔａｎｄ−ａｌｏｎｅ）制御部に該当するものであって、スマートフォンなどの外部機器１０がない場合にも、ＬＥＤ表示部２００に表示される図形又は文字の選択、及び表示するか否かを、制限された範囲内で制御することができる。
【００６５】
これとは異なり、照明制御部４００は、ＬＥＤ表示部２００ではなくスマートフォンなどの外部機器１０とペアリングされて連動され、外部機器１０にのみ制御信号を伝送するように構成されてもよい。この場合、照明制御部４００の制御信号は外部機器１０で解読され、外部機器１０は、解読された図形や文字などの信号をＬＥＤ表示部２００に伝送してＬＥＤ表示部２００が表示するようにすることができる。この場合は、照明制御部４００が単独でＬＥＤ表示部２００を制御するものではなく、スマートフォンなどの外部機器１０と連係されて外部機器１０に従属された従属型制御部として使用される形態である。
【００６６】
以下、図８乃至図１０を参照して、本発明に係る多機能スマートバックパックの他の一実施例について説明する。
【００６７】
図８は、本発明の他の一実施例に係る多機能スマートバックパックの概略的なブロック構成であり、図９は、本発明の前記他の一実施例に係る多機能スマートバックパックにおいてＬＥＤ表示部が表示する視覚情報の一例を示し、図１０は、本発明の前記他の一実施例に係る多機能スマートバックパックにおいてＬＥＤ表示部に交通標識が表示される一例を示したものである。
【００６８】
図８に示したように、本発明の多機能スマートバックパックは、バックパックボディー部１００、多数のＬＥＤ表示部２１０，２２０，２３０，２４０、駆動制御部６００ａ、遠隔制御部１０ａ、多数の光センサ部５１０，５２０、ＬＥＤ照明部５３０、電源供給部３００ａ、及びスイッチ部７００を含んで構成される。図８では、バックパックボディー部１００の内面に設置される構成要素と、外面に設置される構成要素との区分のために、内面に設置される構成要素３００ａ，５１０，５３０，６００ａに対してはハッチング（ｈａｔｃｈｉｎｇ）をして表示した。
【００６９】
まず、バックパックボディー部１００は、バックパックの紐部分などを除いたカバン本体を指すもので、ユーザの背中の後方から見える面を白色又は黒色系統のポリカーボネート（ＰＣ）材質で構成することが好ましい。このような材質で形成された実際のバックパック製品の一例を図２に示している。
【００７０】
バックパックボディー部１００の外面には多数のＬＥＤ表示部２１０，２２０，２３０，２４０が形成されて、文字、静止画、動画などの様々な視覚情報を外部に表示できるようにする。このようなＬＥＤ表示部２１０，２２０，２３０，２４０は、多数の独立したＬＥＤパネルや、単一又は多数のＬＥＤモジュールで構成することができる。本実施例では、４つのＬＥＤ表示部２１０，２２０，２３０，２４０が設置された例を示しているが、これに限定されるものではなく、バックパックの大きさ、使用目的、または作製コストなどを考慮して、適正な個数のＬＥＤ表示部をバックパックボディー部１００に形成することができる。
【００７１】
駆動制御部６００ａは、前記のＬＥＤ表示部２１０，２２０，２３０，２４０を駆動してＬＥＤの点灯を制御するための回路装置であって、マイクロコントローラ、メモリ、及び無線通信回路を含んでなる。このような駆動制御部６００ａは、前記のＬＥＤ表示部２１０，２２０，２３０，２４０に個別的に互いに異なる視覚情報を表示することができ、ユーザの必要や個性に応じて様々な視覚情報をバックパックに表示することができる。このような視覚情報は、リアルタイムで表示されてもよく、または指定された時間にそれぞれ表示されるようにしてもよい。
【００７２】
遠隔制御部１０ａは、駆動制御部６００ａと無線で通信を行って駆動制御部６００ａの動作を制御する。すなわち、駆動制御部６００ａは、遠隔制御部１０ａの命令に従って多数のＬＥＤ表示部２１０，２２０，２３０，２４０に様々な視覚情報がそれぞれ表示されるようにする。遠隔制御部１０ａと駆動制御部６００ａとの通信は、ブルートゥース通信又はＲＦ無線リモコン方式で行うことができる。
【００７３】
一方、遠隔制御部１０ａは、スマートフォン及びこれに内蔵された専用制御プログラム（Ａｐｐｌｉｃａｔｉｏｎ  Ｐｒｏｇｒａｍ）で構成することができる。
【００７４】
遠隔制御部１０ａをスマートフォンで構成した場合、前記の多数のＬＥＤ表示部２１０，２２０，２３０，２４０の１つは前記スマートフォンの動作状態を表示するようにすることができる。例えば、電話がかかってきた場合にＬＥＤ表示部２３０に点滅効果などを表示するようにすることによって、スマートフォンをバックパックの中に入れておいた場合にも、ユーザが電話がかかってきたことを認知することができる。
【００７５】
また、スマートフォンが駆動制御部６００ａと周期的に通信信号を送受信するようにして、バックパックの紛失などの事故に備えるようにすることもできる。すなわち、周期的な通信信号の送受信によって、スマートフォンと駆動制御部６００ａとの間で送受信が中断された状態を感知することができる。このとき、送受信中断状態が感知されると、スマートフォンのアラーム機能を用いて、ユーザに警報することが可能である。言い換えれば、バックパックとスマートフォンとの距離が一定以上に離れた状況をユーザが直ちに認知できるので、バックパックの紛失を防止することができる。
【００７６】
前記のＬＥＤ表示部２１０，２２０，２３０，２４０が表示する視覚情報の具体的な一例を図９に示した。図９に示した視覚情報は、本発明の説明のための例示であって、本発明がこれに限定されるものではない。
【００７７】
図９において、１番目のＬＥＤ表示部２１０は、単一のＬＥＤモジュールで構成されて、電源のＯＮ／ＯＦＦを表示し、２番目のＬＥＤ表示部２２０は、ＬＥＤパネルで構成されて、バックパックの個性を示すデザインイメージを表示する。また、３番目のＬＥＤ表示部２３０は、ＬＥＤパネルで構成されて、後方の車両や自転車などに通知あるいは警報信号を示す文字や記号などを表示し、４番目のＬＥＤ表示部２４０は、ＬＥＤパネルで構成されて、会社のロゴや広告などを表示する。
【００７８】
このような視覚情報は、スマートフォンの専用制御プログラムを用いて、ユーザが直接描いて入力してもよく、ダウンロードして入力してもよい。
【００７９】
また、視覚情報は、それぞれのＬＥＤ表示部２１０，２２０，２３０，２４０に独立して表示され、ユーザの入力と同時にリアルタイムで表示してもよく、駆動制御部６００ａのメモリに格納した後、指定された時間に（又は周期的に）表示されるようにしてもよい。
【００８０】
本発明の多機能スマートバックパックは、夜間に自転車や電動スクーターなどを運行するときに特に有用であり、その表示の一例を図１０に示した。
【００８１】
図１０に示したように、多数の交通標識がスマートフォンの画面に表示され、ユーザがそのうちの１つを選択すると、駆動制御部６００ａによって、バックパックのＬＥＤ表示部２１０，２２０，２３０，２４０の１つに当該交通標識が表示される。すなわち、スマートフォンに表示された左折（←）、右折（→）、停止（Ｓｔｏｐ）、徐行（Ｓｌｏｗ）などと同一の交通標識イメージが、ユーザの命令に従ってリアルタイムでＬＥＤ表示部２１０，２２０，２３０，２４０に表示され得る。交通標識の選択は、スマートフォンのタッチ入力方式を用いることができ、両手を自由にするために音声入力方式を用いてもよい。
【００８２】
交通標識と共に、または交通標識の代わりに、走行情報が表示されるようにしてもよい。走行情報は、スマートフォンなどの外部機器１０ａに内蔵されたＧＰＳ、すなわち、衛星航法装置（図示せず）で受信した信号に含まれた位置情報及び視覚情報などから計算して取得できるものであって、ユーザの走行速度、走行方向、高度などの情報を含むことができる。この場合、前記遠隔制御部は、スマートフォンに内蔵された衛星航法装置の信号から走行速度と走行方向を含む１つ以上の走行情報を計算して前記駆動制御部に送出することによって、前記多数のＬＥＤ表示部の１つ以上に前記走行情報が表示されるようにすることができる。
【００８３】
一方、図８に示したように、バックパックボディー部１００の内面には、バックパックの内側の照度を測定する内部光センサ部５１０、及び内部光センサ部５１０が測定した照度値に応じてバックパックの内側に照明を照らすＬＥＤ照明部５３０が設置されている。このような内部光センサ部５１０によって、バックパックが開いているか閉じているかを感知することができ、バックパックが開状態になると、駆動制御部６００ａの制御によってＬＥＤ照明部５３０がバックパックの内側に照明を照らすことにより、暗い環境でもユーザがバックパック内部の中身を容易に確認することができる。
【００８４】
また、バックパックボディー部１００の外面には、バックパックの外側の周辺の照度を測定する外部光センサ部５２０が設置されている。このような外部光センサ部５２０によってバックパックの周辺の照度が測定されると、駆動制御部６００ａは、測定された周辺照度値を受信して、ＬＥＤ表示部２１０，２２０，２３０，２４０のＬＥＤの照度を自動で調整することができる。このような照度の自動調節は、電源の消耗を低減して、バックパックの動作時間を増やすことができる。
【００８５】
上述したＬＥＤ表示部２１０，２２０，２３０，２４０、内部光センサ部５１０、外部光センサ部５２０、及びＬＥＤ照明部５３０の全ての動作は、前記の遠隔制御部１０ａ、すなわち、スマートフォンによって操作され得る。すなわち、駆動制御部６００ａが、スマートフォンの命令に従って、ＬＥＤ表示部２１０，２２０，２３０，２４０の表示動作を制御するだけでなく、光センサ部５１０，５２０が測定した照度値に応じてＬＥＤ照明部のＯＮ／ＯＦＦを制御し、ＬＥＤ表示部２１０，２２０，２３０，２４０の照度の調整を手動あるいは自動で制御することができる。
【００８６】
一方、バックパックボディー部１００の外面に、多数のＬＥＤ表示部２１０，２２０，２３０，２４０をそれぞれオン・オフさせることができるようにするスイッチ部７００が設置される。すなわち、多数のＬＥＤ表示部２１０，２２０，２３０，２４０を個別的にＯＮ／ＯＦＦさせることができる。このようなスイッチ部７００は、タッチパッドのような形態で構成することができ、バックパックの外面から見えない色相で構成することがバックパックの美感のために好ましい。
【００８７】
一方、前記の電源供給部３００ａは、充放電可能なバッテリーで構成することができる。電源供給部３００ａは着脱可能に形成することができ、この場合、バックパックの構成要素との電源接続のための別途の電源コネクタ（図示せず）などをさらに備える。
【００８８】
駆動制御部６００ａは、電源供給部３００ａから電源の供給を受け、５Ｖ  ＤＣ電圧に変換して外部に出力することができる。すなわち、駆動制御部６００ａは、５Ｖ  ＤＣ電圧を出力する電源供給端子を含んでおり、これは、電源供給部３００ａの電源をＵＳＢ用などに使用できるようにする。
【００８９】
前記の本発明の実施例に係る多機能スマートバックパックは、様々な形態のカバンに適用することができる。すなわち、場合によって、バックパックとは異なる形態のカバンにも本発明を適用することができ、カバンではなく、専用パッドの形態で使用されてもよい。
【００９０】
本発明は、前記の好ましい実施例及び添付の図面を参照して説明されたが、本発明の思想及び範囲内で異なる実施例を構成することもできる。したがって、本発明の範囲は、添付の特許請求の範囲によって定められ、本明細書に記載された特定の実施例によって限定されないものと解釈しなければならない。
【図１】
2019506188.tif 000003
【図２】
2019506188.tif 000004
【図３】
2019506188.tif 000005
【図４】
2019506188.tif 000006
【図５】
2019506188.tif 000007
【図６】
2019506188.tif 000008
【図７】
2019506188.tif 000009
【図８】
2019506188.tif 000010
【図９】
2019506188.tif 000011
【図１０】
2019506188.tif 000012
【国際調査報告】
2019506188.tif 000013
2019506188.tif 000014
2019506188.tif 000015
2019506188.tif 000016